(57)【要約】【課題】  室内の温度調整と照明とを適切に行うことができる室内空調照明システムを提供する。【解決手段】  室内空調照明システムＳ１は、輻射パネル４ａと照明装置ＬＴ１−ＬＴ４とを備える。輻射パネル４ａは、室内Ｒの天井面ＣＬ近傍に配置され、温度調整された空気が送られる内部空間を有し、温度調整された空気の吹出しと輻射とによって室内Ｒの温度調整を行う。照明装置ＬＴ１−ＬＴ４は、天井面ＣＬ近傍に設けられ輻射パネル４ａの側方に配置される。そして、輻射パネル４ａの下面４４は、照明装置ＬＴ１−ＬＴ４からの光を受けるように下に凸に膨らんだ形状を有する。【選択図】      図１０
2005140389.tif 000002
【特許請求の範囲】
【請求項１】
室内（Ｒ）の天井面（ＣＬ）近傍に配置され、温度調整された前記空気が送られる内部空間（ＰＳ）を有し、温度調整された前記空気の吹出しと輻射とによって前記室内（Ｒ）の温度調整を行う輻射パネル（４ａ−４ｃ）と、
前記天井面（ＣＬ）近傍に設けられ前記輻射パネル（４ａ−４ｃ）の側方に配置される照明装置（ＬＴ１−ＬＴ４）と、
を備え、
前記輻射パネル（４ａ−４ｃ）の下面（４４，４９，７１）は、前記照明装置（ＬＴ１−ＬＴ４）からの光を受けるように下に凸に膨らんだ形状を有する、
室内空調照明システム（Ｓ１−Ｓ３）。
【請求項２】
複数の前記照明装置（ＬＴ１−ＬＴ４）が、前記輻射パネル（４ａ−４ｃ）の側方にそれぞれ配置される、
請求項１に記載の室内空調照明システム（Ｓ１−Ｓ３）。
【請求項３】
前記輻射パネル（４ａ−４ｃ）の下面（４４，４９，７１）の基端部分は、前記照明装置（ＬＴ１−ＬＴ４）より低い位置に配置される、
請求項１または２に記載の室内空調照明システム（Ｓ１−Ｓ３）。
【請求項４】
前記輻射パネル（４ａ，４ｂ）の下面（４４，４９）の基端部分は、前記天井面（ＣＬ)から所定距離だけ低い位置に配置され、
前記照明装置（ＬＴ１−ＬＴ４）は、前記天井面（ＣＬ)と略同じ高さに配置される、
請求項３に記載の室内空調照明システム（Ｓ１，Ｓ２）。
【請求項５】
前記輻射パネル（４ａ−４ｃ）の下面（４４，４９，７１）は、平面視において長方形形状を有し、
前記照明装置（ＬＴ１−ＬＴ４）は、前記輻射パネル（４ａ−４ｃ）の少なくとも長辺の側方に配置される、
請求項１から４のいずれかに記載の室内空調照明システム（Ｓ１−Ｓ３）。
【請求項６】
前記輻射パネル（４ｂ）の下面（４９）は、膨らみの程度を変更可能である、
請求項１から５のいずれかに記載の室内空調照明システム（Ｓ２）。
【発明の詳細な説明】
【技術分野】
【０００１】
本発明は、室内空調照明システムに関する。
【背景技術】
【０００２】
従来、温度調整された空気を室内へと吹き出して室内の温度調整を行う対流型空気調和機がよく利用されている。この対流型空気調和機は、通常、室内へと吹き出される空気が通る吹出し口を備えている。この吹出し口は、例えば、空気調和機の室内機の長手方向に沿って室内機の正面下部に設けられた開口である。対流型空気調和機は、吹出し口から温度調整された空気を室内へと吹き出し、温度調整された空気の対流を室内に発生させる。これによって、温度調整された空気を室内の広範囲に到達させることができ、室内の温度調整を行うことができる（特許文献１参照）。
【特許文献１】特開２００１−４１４８８号公報
【発明の開示】
【発明が解決しようとする課題】
【０００３】
しかし、上記のような対流型空気調和機では、ドラフトが発生する恐れがある。すなわち、対流型空気調和機では、吹出し口から吹き出た空気の対流が、室内の居住者等に直接に接触し易い。このため、居住者等が不快感を感じる恐れがある。
そこで、本願発明者は、特願２００３−０４２８０５号特許出願明細書に記載された輻射パネル構造体を案出している。この輻射パネル構造体は、温度調整された空気によって大気圧より大きな圧力が生じる圧力発生空間を有し、空気の吹出しと輻射とによって室内の温度調整を行う。これにより、輻射と穏やかな空気の吹出しとによって、ドラフトを抑えた穏やかな温度調整を行うことができる。
【０００４】
ところで、室内の天井面には、室内を照らす照明装置が設けられることが通常である。しかし、上記のような輻射パネル構造体が天井面近傍に配置されると、輻射パネル構造体が照明の妨げとなる恐れがある。逆に、照明装置を優先して天井面近傍に設けた場合には、照明装置が輻射パネル構造体の妨げとなって室内の温度調整の妨げとなる恐れもある。
本発明の課題は、室内の温度調整と照明とを適切に行うことができる室内空調照明システムを提供することにある。
【課題を解決するための手段】
【０００５】
請求項１に記載の室内空調照明システムは、輻射パネルと照明装置とを備える。輻射パネルは、室内の天井面近傍に配置され、温度調整された空気が送られる内部空間を有し、温度調整された空気の吹出しと輻射とによって室内の温度調整を行う。照明装置は、天井面近傍に設けられ輻射パネルの側方に配置される。そして、輻射パネルの下面は、照明装置からの光を受けるように下に凸に膨らんだ形状を有する。
【０００６】
この室内空調照明システムでは、輻射パネルの側方に照明装置が配置され、輻射パネルの下面が下方へ凸に膨らんでいるため、照明装置からの照明が直接に輻射パネルの下面にあたる。このため、輻射パネルの下面が間接照明として機能して、室内の照明を行うことができる。これにより、この室内空調照明システムでは、室内の温度調整と照明とを適切に行うことができる。
【０００７】
請求項２に記載の室内空調照明システムは、請求項１に記載の室内空調照明システムであって、複数の照明装置が、輻射パネルの側方にそれぞれ配置される。
この室内空調照明システムでは、複数の照明装置が、輻射パネルの下面を照らす。これにより、この室内空調照明システムでは、室内の照明をより適切に行うことができる。
請求項３に記載の室内空調照明システムは、請求項１または２に記載の室内空調照明システムであって、輻射パネルの下面の基端部分は、照明装置より低い位置に配置される。
【０００８】
この室内空調照明システムでは、照明装置が下方を照らすことによって、照明装置より低い位置にある輻射パネルの下面の膨らみが斜め上方からの照明装置の光を受ける。これにより、輻射パネルの下面が間接照明として機能することができる。なお、輻射パネルの下面の基端部分とは、輻射パネルの下面の最も下方に膨らんだ部分を先端部分とするのに対して、下面の膨らみの始まりの部分を意味する。
【０００９】
請求項４に記載の室内空調照明システムは、請求項３に記載の室内空調照明システムであって、輻射パネルの下面の基端部分は、天井面から所定距離だけ低い位置に配置される。また、照明装置は、天井面と略同じ高さに配置される。
この室内空調照明システムでは、輻射パネルの下面の基端部分が、天井面から所定距離だけ低い位置に配置され、照明装置が、天井面と略同じ高さに配置される。このため、照明装置が下方を照らすことによって、輻射パネルの下面の膨らみが斜め上方からの照明装置の光を受ける。これにより、輻射パネルの下面が間接照明として機能することができる。
【００１０】
請求項５に記載の室内空調照明システムは、請求項１から４のいずれかに記載の室内空調照明システムであって、輻射パネルの下面は、平面視において長方形形状を有する。また、照明装置は、輻射パネルの少なくとも長辺の側方に配置される。
この室内空調照明システムでは、照明装置が、輻射パネルの少なくとも長辺の側方に配置される。このため、輻射パネルの下面の膨らみの比較的広い面積が、照明装置からの光を受けることができる。これにより、この室内空調照明システムでは、室内の照明をより適切に行うことができる。
【００１１】
請求項６に記載の室内空調照明システムは、請求項１から５のいずれかに記載の室内空調照明システムであって、輻射パネルの下面は、膨らみの程度を変更可能である。
この室内空調照明システムでは、輻射パネルの下面は、膨らみの程度を変更可能である。従って、輻射パネルの下面からの空気の吹出しや輻射の方向を変更することができる。これにより、より効果的な室内の温度調整が可能である。
【発明の効果】
【００１２】
請求項１に記載の室内空調照明システムでは、輻射パネルの下面が間接照明として機能して、室内の照明を行うことができる。これにより、この室内空調照明システムでは、室内の温度調整と照明とを適切に行うことができる。
請求項２に記載の室内空調照明システムでは、複数の照明装置が、輻射パネルの下面を照らす。これにより、この室内空調照明システムでは、室内の照明をより適切に行うことができる。
【００１３】
請求項３に記載の室内空調照明システムでは、照明装置が下方を照らすことによって、照明装置より低い位置にある輻射パネルの下面の膨らみが斜め上方からの照明装置の光を受ける。これにより、輻射パネルの下面が間接照明として機能することができる
請求項４に記載の室内空調照明システムでは、照明装置が下方を照らすことによって、輻射パネルの下面の膨らみが斜め上方からの照明装置の光を受ける。これにより、輻射パネルの下面が間接照明として機能することができる。
【００１４】
請求項５に記載の室内空調照明システムでは、輻射パネルの下面の膨らみの比較的広い面積が、照明装置からの光を受けることができる。これにより、この室内空調照明システムでは、室内の照明をより適切に行うことができる。
請求項６に記載の室内空調照明システムでは、輻射パネルの下面からの空気の吹出しや輻射の方向を変更することができる。これにより、より効果的な室内の温度調整が可能である。
【発明を実施するための最良の形態】
【００１５】
＜第１実施形態＞
［全体構成］
本発明の第１実施形態にかかる室内空調照明システムＳ1を図１および図２に示す。図１は、室内空調照明システムＳ1および室内空調照明システムＳ1が配置された室内Ｒの側面図であり、図２は、図１におけるII−II断面図である。この室内空調照明システムＳ1は、図２に示すように、照明装置ＬＴ１−ＬＴ４と空気調和機１００とを備えている。照明装置ＬＴ１−ＬＴ４は、室内Ｒの天井面ＣＬに設けられており、室内Ｒの照明を行う。空気調和機１００は、照明装置ＬＴ１−ＬＴ４が配置された室内Ｒの温度調整を行う。なお、室内Ｒには寝具Ｂが配置されている。寝具Ｂは、例えば、ベッドであり寝室などの室内Ｒに配置される。
【００１６】
［空気調和機］
空気調和機１００は、輻射パネル構造体１ａと室内機２ａと室外機３（図８参照）とを備えており、輻射と、温度調整された空気の吹き出しとによって冷暖房等の室内Ｒの空気調和を行うことができる。
［輻射パネル構造体］
輻射パネル構造体１ａは、図１に示すように、天井面ＣＬの近傍に天井面ＣＬに沿って配置され、温度調整された空気の温度を利用した輻射と、温度調整された空気の吹出しとによって冷暖房等の空気調和を行う。輻射パネル構造体１ａは、図１および図２に示すように、全体として薄い板状の外形を有しており、平面的な形状となっている。室内Ｒの側方に隣接する空間は、室内機２ａを収納する室内機収納空間ＳＰ１となっており、室内Ｒと室内機収納空間ＳＰ１とは仕切り部材Ｗによって仕切られている。仕切り部材Ｗは、室内Ｒの床面から天井面ＣＬまでに亘って設けられているが、室内Ｒと室内機収納空間ＳＰ１との間で空気の出入りが可能となっている。輻射パネル構造体１ａの側面の一つは、仕切り部材Ｗに近接しており、室内機収納空間ＳＰ１内の室内機２ａと接続されている。輻射パネル構造体１ａは、輻射パネル４ａと外部フレーム５ａとを有している。
【００１７】
〔輻射パネル〕
輻射パネル４ａは、輻射と空気の吹出しとを行う部分である。輻射パネル４ａの外観図を図３に示す。図３（ａ）は輻射パネル４ａの平面図であり、図３（ｂ）は輻射パネル４ａの側面図である。なお、図３（ａ）の輻射パネル４ａの平面図は、天井面ＣＬに設置された輻射パネル４ａを下方から見上げた図である。輻射パネル４ａは、薄い板状の外形であり全体として平坦な形状を有している。輻射パネル４ａは、室内Ｒの天井面ＣＬに近接して配置されており、平面視において長方形の外形を有する。輻射パネル４ａは、寝具Ｂを平面的に略覆う大きさを有しており、寝具Ｂの直上に配置される。輻射パネル４ａは、袋部４０ａと内部フレーム４１ａ（図５および図６参照）と断熱材４２とを有する。
【００１８】
〈袋部〉
袋部４０ａは、天井面ＣＬの近傍に天井面ＣＬに略平行に寝具Ｂの直上に配置されており、寝具Ｂを平面的に略覆う大きさを有している。袋部４０ａは、織布や不織布等の繊維系材料から袋状に形成され、図４に示すように、圧力発生空間ＰＳ（内部空間）を内部に構成する。なお、図４は、袋部４０ａの側面断面図を示しているが、内部フレーム４１ａ等は省略している。圧力発生空間ＰＳには、室内機２ａから温度調整された空気が送られることによって、大気圧より大きな圧力が生じる。また、袋部４０ａを形成する繊維系材料は、柔軟且つ空気が透過可能であると共に約０．９の輻射率を有する。このため、圧力発生空間ＰＳに送られた空気は、袋部４０ａの繊維の目の隙間から穏やかに吹出される。また、圧力発生空間ＰＳに送られた空気によって袋部４０ａの温度が調整されることにより、袋部４０ａから輻射が生じる。これにより、穏やかな空気の吹出しと輻射とによって室内Ｒの温度調整を行うことができる。なお、繊維系材料は伸縮性を有している。
【００１９】
袋部４０ａは、全体として平坦な薄型の板状形状を有し、上面４３、下面４４および側面４５によって構成される。
袋部４０ａの上面４３は、室内Ｒの天井面ＣＬに沿って天井面ＣＬに略平行に配置されている。また、袋部４０ａの上面４３は、天井面ＣＬに近接して配置される。
袋部４０ａの下面４４は、室内Ｒに面する位置に天井面ＣＬと略平行に配置されている。袋部４０ａの下面４４は、図３（ａ）に示すように、下方の室内Ｒに対して長方形の投影形状を有しており、例えば、室内Ｒに配置される寝具Ｂを平面的に覆う程度の大きさを有している。この下面４４は、自重や圧力発生空間ＰＳでの静圧などにより下に凸に膨らんだ形状となる。この下面４４の膨らみは、側方の照明装置ＬＴ１−ＬＴ４からの光を受ける程度の大きさである。
【００２０】
袋部４０ａの側面４５は、図３（ｂ）に示すように、それぞれ細長い長方形の形状を有している。袋部４０ａの側面４５からも上面４３や下面４４と同様に空気の吹き出しと輻射とが生じるが、袋部４０ａの側面４５からの空気の吹き出しと輻射とは、外部フレーム５ａによって所望の方向へと集約される。外部フレーム５ａについては、後に詳細に説明する。また、側面４５と下面４４との接続部分は、下面４４の膨らみの基端部分となる。この基端部分は、天井面ＣＬから側面４５の高さ分だけ低い位置に配置されており、照明装置ＬＴ１−ＬＴ４より低い位置に配置される。
【００２１】
また、図３（ａ）に示すように、袋部４０ａの側面４５の一つには、内部フレーム４１ａが挿入される開口である内部フレーム挿入口４６と、内部フレーム挿入口４６を開閉する開閉部４７とが設けられている。開閉部４７は、内部フレーム挿入口４６を開閉するファスナーによって構成される。
さらに、袋部４０ａの側面４５の一つには、空気取入れ口４８が設けられている。空気取入れ口４８は、温度調整された空気を取り入れる部分であり、空気取入れ口４８は、図４に示すように、一端が室内機２ａの吹出し口２５に取り付けられたダクト９の他端に接続され、室内機２ａから圧力発生空間ＰＳへと送られる空気が通過する。
【００２２】
〈内部フレーム〉
内部フレーム４１ａは、袋部４０ａの内部に配置され袋部４０ａを上記のような薄い板状の形状に保持する部材である。内部フレーム４１ａの外観図を図５に示す。図５（ａ）は、内部フレーム４１ａの平面図であり、天井面ＣＬ側から内部フレーム４１ａを見た図である。内部フレーム４１ａは、平坦な形状に組み合わされた複数の線状部材Ｌ１−Ｌ６から構成される。複数の線状部材Ｌ１−Ｌ６は、例えば、ステンレスなどの金属や樹脂等の所定の剛性を有する材料によって形成されている。
【００２３】
図５（ａ）に示すように、内部フレーム４１ａの上面５８は、略長方形の外形を有しており、長方形の２つの長辺を構成する２本の第１線状部材Ｌ１と、２本の第１線状部材Ｌ１に亘って設けられる複数の第２線状部材Ｌ２とによって構成されている。複数の第２線状部材Ｌ２のうちの２本は、長方形の短辺を構成し、他の第２線状部材Ｌ２は、長方形の短辺に平行に略等間隔に配置されている。第２線状部材Ｌ２は、第１線状部材Ｌ１の間隔よりも僅かに長く形成されており、このため、第２線状部材Ｌ２の両端は、第１線状部材Ｌ１、すなわち、長方形の長辺から僅かに突出する突出部４１０を形成している。この内部フレーム４１ａの上面５８は、袋部４０ａの上面４３を上記のような形状に保持する。
【００２４】
内部フレーム４１ａの下面５９は、図６に示すように、内部フレーム４１ａの上面５８の外形と同様の大きさの長方形状に組み合わされた第３線状部材Ｌ３と、内部フレーム４１ａの上面５８の外形よりも一回り小さな長方形状に組み合わされた第４線状部材Ｌ４と、第３線状部材Ｌ３と第４線状部材Ｌ４とをつなぐ第５線状部材Ｌ５とによって構成されている。この内部フレーム４１ａの下面５９は、袋部４０ａの下面４４を上記のような形状に保持する。なお、図６は、図５（ｂ）におけるVI−VI断面図である。
【００２５】
また、内部フレーム４１ａの側面５７は、図５（ｂ）に示すように、内部フレーム４１ａの上面５８と下面５９とをつなぐ複数の第６線状部材Ｌ６によって構成されている。この内部フレーム４１ａの側面５７は、袋部４０ａの側面４５を上記のような形状に保持する。
内部フレーム４１ａは、図３（ａ）に示す袋部４０ａの内部フレーム挿入口４６から袋部４０ａの内部へと挿入される。袋部４０ａと内部フレーム４１ａとは、内部フレーム４１ａが袋部４０ａの内部に配置された状態で開閉部４７のファスナーを閉めることにより袋部４０ａに所定のテンションが作用するように寸法が設計されている。
【００２６】
〈断熱材〉
断熱材４２は、図３（ｂ）および図４に示すように、輻射パネル４ａの天井面ＣＬ側に位置する上面、すなわち、袋部４０ａの上面４３に固定されており、圧力発生空間ＰＳの天井面ＣＬ側に設けられている。袋部４０ａの上面４３と天井面ＣＬとの間には、約６ｍｍの隙間が設けられており、断熱材４２は袋部４０ａの上面４３に固定されて、この隙間に面している。断熱材４２は、約５ｍｍの厚さを有するシート状の形状であり、断熱材４２と天井面ＣＬとの間隔は極僅かとなっている。従って、断熱材４２は天井面ＣＬに近接している。断熱材４２は、袋部４０ａの上面４３の略全体を覆っている。
【００２７】
〔外部フレーム〕
外部フレーム５ａは、図２に示すように、外形が長方形の短辺の一つが欠けた形状となるように組み合わされた木製の枠であり、袋部４０ａの外部において輻射パネル４ａの側面、すなわち袋部４０ａの側面４５を囲む。なお、外部フレーム５ａを構成する材料は木に限らず輻射パネル４ａを支持できる所定の剛性を有するものであればよい。外部フレーム５ａは、袋部４０ａの空気取入れ口４８が設けられる側面４５すなわち仕切り部材Ｗに面する側面４５を除く他の全ての側面４５を囲んでいる。従って、外部フレーム５ａは、輻射パネル４ａの室内Ｒに面する側面４５の全体を囲んでいる。外部フレーム５ａは、図１に示すように、上端が天井面ＣＬに隙間なく固定されており、下端は袋部４０ａの下面４４と略同じ高さとなっている。外部フレーム５ａの高さ方向寸法は約６０ｍｍであり、輻射パネル構造体１ａは、非常に薄型な形状となっている。従って、輻射パネル構造体１ａでは、室内Ｒの居住者等へと与える圧迫感が低減されている。なお、袋部４０ａは自重や内圧等によって下面４４が下方へ凸に膨らんだ形状となるが、外部フレーム５ａは、膨らみの基端となる下面４４と側面４５との接続位置と略同じ高さとなっている。
【００２８】
また、外部フレーム５ａは、図７に示すように、内部フレーム４１ａを支持する支持部５０を有する。なお、図７は、図２におけるVII−VII断面図である。支持部５０は、外部フレーム５ａの２つの長辺の両方に設けられている。支持部５０は、外部フレーム５ａの内側に設けられたスリット５１と、スリット５１に設けられる金属製のレール５２とによって構成されている。スリット５１は、外部フレーム５ａの内側のうち天井面ＣＬに近い位置に設けられており、天井面ＣＬに平行に設けられている。内部フレーム４１ａの突出部４１０が、外部フレーム５ａの側方からこの支持部５０に通されて支持部５０に係止することによって、輻射パネル４ａが外部フレーム５ａに支持される。
【００２９】
［室内機］
室内機２ａは、輻射パネル４ａの圧力発生空間ＰＳへと温度調整された空気を送る。室内機２ａは、上述したように、室内Ｒから仕切られた室内機収納空間ＳＰ１に配置される。室内機２ａは、図８に示すように、室内熱交換器２０、室内ファン２１、室内ファンモータ２２、室内機ケーシング２３（図１参照）などを備えている。
【００３０】
室内機ケーシング２３は、室内熱交換器２０、室内ファン２１、室内ファンモータ２２等を内部に収納しており、図４に示すように、吸込み口２４と吹出し口２５とを備えている。
吸込み口２４は、室内Ｒから室内機ケーシング２３内へと取り入れられる空気が通る開口である。吸込み口２４は、室内機ケーシング２３の下面に設けられており、下方から空気を吸込む。
【００３１】
吹出し口２５は、吸込み口２４よりも上方に設けられており、室内機ケーシング２３内で室内熱交換器２０を通って輻射パネル構造体１ａへと送られる空気が通る開口である。吹出し口２５は、輻射パネル構造体１ａの空気取入れ口４８に接続されるダクト９の一端と接続される。
室内熱交換器２０は、図８に示すように、室外熱交換器３０や圧縮機３２等と冷媒配管２６，２７を介して接続されている。室内熱交換器２０は、通過する空気との間で熱交換を行うことによって、空気の温度調整を行う。室内ファン２１は、室内ファンモータ２２によって回転駆動され、室内Ｒから取り込まれ輻射パネル構造体１ａへと送られる空気流を生成する。この空気流は、吸込み口２４から室内機ケーシング２３の内部に取り込まれ、室内熱交換器２０、吹出し口２５および空気取入れ口４８を通って輻射パネル４ａの内部の圧力発生空間ＰＳへと到る空気の流れである。
【００３２】
［室外機］
室外機３は、室外に配置され、図８に示すように、アキュムレータ３１、圧縮機３２、四路切換弁３３、電動弁３４、室外ファン３８、室外ファンモータ３９、室外熱交換器３０等を備えている。圧縮機３２、電動弁３４、四路切換弁３３、室外熱交換器３０等は、室内熱交換器２０と共に冷媒回路を構成している。室外ファン３８は、室外ファンモータ３９によって回転駆動され、室外熱交換器３０を通る空気の流れを生成する。
【００３３】
［照明装置］
照明装置ＬＴ１−ＬＴ４は、図２に示すように、第１照明装置ＬＴ１、第２照明装置ＬＴ２、第３照明装置ＬＴ３、第４照明装置ＬＴ４を有しており、輻射パネル４ａの側方にそれぞれ配置される。第１照明装置ＬＴ１、第２照明装置ＬＴ２、第３照明装置ＬＴ３、第４照明装置ＬＴ４は、それぞれ天井面ＣＬと略同じ高さに配置される。第１照明装置ＬＴ１と第２照明装置ＬＴ２とは、輻射パネル４ａの２つの長辺のうちの一方の側方に配置されており、長辺に沿って並んで配置される。第３照明装置ＬＴ３と第４照明装置ＬＴ４とは、輻射パネル４ａの２つの長辺のうちの他方の側方に配置されており、長辺に沿って並んで配置される。第１照明装置ＬＴ１と第３照明装置ＬＴ３とは、輻射パネル４ａを挟んで対称に配置されており、第２照明装置ＬＴ２と第４照明装置ＬＴ４とは、輻射パネル４ａを挟んで対称に配置されている。
【００３４】
［空気調和機の運転動作］
次に、この室内空調照明システムＳ１によって室内Ｒの空気調和を行う場合の運転動作について説明する。
冷房運転時には、室内熱交換器２０が、蒸発器として機能して、通過する空気から熱を奪う。室内ファン２１によって室内機収納空間ＳＰ１を経て吸込み口２４から室内機ケーシング２３内に取り込まれた室内Ｒの空気は、室内熱交換器２０を通過する際に熱を奪われて冷却される。
【００３５】
この冷却された空気は、吹出し口２５、ダクト９、空気取入れ口４８を通り、袋部４０ａ内の圧力発生空間ＰＳへと送られる。空気が圧力発生空間ＰＳに送られると、大気圧より大きな正の静圧が圧力発生空間ＰＳに生じる。すなわち、図９に示すように、天井面ＣＬに平行に流れる空気の流れ（実線矢印Ａ１参照）に対して垂直な方向に大気圧より大きな圧力が生じる。このため、冷却された空気が、袋部４０ａの繊維の隙間から押し出され、室内Ｒへと穏やかに吹き出される（実線矢印Ａ２参照）。
【００３６】
また、袋部４０ａが冷却された空気と接触することによって、袋部４０ａが冷却される。このため、袋部４０ａによる冷輻射が生じる（破線矢印Ａ３参照）。
これらの穏やかな空気の吹出しや輻射による冷気は、袋部４０ａの直下に位置する寝具Ｂに到達し、寝具Ｂの周辺の冷房が行われる。
このように、この室内空調照明システムＳ１では、袋部４０ａの繊維の隙間からの穏やかな吹き出しと、袋部４０ａの冷輻射とによって、室内Ｒの冷房が行われる。
【００３７】
暖房運転時には、室内熱交換器２０が凝縮器として機能して、通過する空気を加熱する。加熱された空気は、冷房運転時と同様に、袋部４０ａ内の圧力発生空間ＰＳへと送られる。そして、加熱された空気が、袋部４０ａの繊維の隙間から押し出され、室内Ｒへと穏やかに吹き出される。また、袋部４０ａが加熱された空気と接触することによって、袋部４０ａが加熱される。そして、袋部４０ａによる熱輻射が生じる。
【００３８】
これらの穏やかな空気の吹出しや輻射による暖気は、袋部４０ａの直下に位置する寝具Ｂに到達し、寝具Ｂの周辺の暖房が行われる。このように、この室内空調照明システムＳ１では、袋部４０ａの繊維の隙間からの穏やかな吹出しと、袋部４０ａの熱輻射とによって、室内Ｒの暖房が行われる。
［特徴］
この室内空調照明システムＳ１では、図１０に示すように、照明装置ＬＴ１−ＬＴ４から照射された光は、照明装置ＬＴ１−ＬＴ４の斜め下方に位置する輻射パネル４ａの下面４４の膨らみに直接に当たる（破線矢印Ａ４参照）。このため、輻射パネル４ａの下面４４が間接照明として機能して、室内Ｒの照明を行うことができる。特に、照明装置ＬＴ１−ＬＴ４は、輻射パネル４ａの長辺の側方に設けられているため、輻射パネル４ａの下面４４の膨らみの比較的広い面積が、照明装置ＬＴ１−ＬＴ４からの光を受けることができる。従って、室内Ｒの間接照明の効果が高い。また、上述したように、輻射パネル４ａからの穏やかな空気の吹出しと輻射とによって、室内Ｒの温度調整を行うことができる。これにより、この室内空調照明システムＳ１では、室内Ｒの温度調整と照明とを適切に行うことができる。なお、図１０は図２におけるX−X断面である。
【００３９】
＜第２実施形態＞
［構成］
本発明の第２実施形態にかかる室内空調照明システムＳ２を図１１に示す。この室内空調照明システムＳ２では、輻射パネル構造体１ｂは、輻射パネル４ｂを備えている。輻射パネル４ｂは、下面４９の膨らみの程度が変更可能である。例えば、輻射パネル４ｄは、下面４９の膨らみの程度を、平坦な第１状態（破線Ｍ１参照）、下方へ凸に膨らんだ第２状態（実線Ｍ２参照）、第２状態からさらに大きく下方へ凸に膨らんだ第３状態（破線Ｍ３参照）など変更することができる。
【００４０】
他の構成については、第１実施形態にかかる室内空調照明システムＳ１と同様である。
［特徴］
この室内空調照明システムＳ２では、輻射パネル４ｂの下面４９の膨らみを変更可能とすることによって、空気の吹出し方向と輻射方向とを自由に変更することができる。
＜他の実施形態＞
（１）
上記の実施形態では、袋部４０ａが繊維系材料によって形成されているが、所定の輻射率を有し空気が透過可能な他の材料が使用されてもよい。例えば、多孔質性の樹脂フィルムなどが使用されもよい。
【００４１】
（２）
上記の実施形態では、室内機２ａは室内機ケーシング２３の下面に設けられた吸込み口２４から空気を吸込んでいるが、吸込み口２４が室内機ケーシング２３の側面、後面または側面と後面との両方に設けられた室内機が使用されてもよい。例えば、図１２に示すような室内機２ｂが考えられる。この室内機２ｂは、室内Ｒの天井面ＣＬに設けられる天吊型室内機であり、薄型の平坦な形状を有する。室内機２ｂは、室内機ケーシング２８の側面に設けられる吸込み口２９を有する。なお、「側面」や「後面」とは、室内機のうち輻射パネル構造体１ａが設けられる側を正面としたときの「側面」や「後面」を意味する。
【００４２】
このような室内機２ｂでは、吸込み口２９が下方の居住者等の視野に入り難くなり、美観が向上する。
（３）
上記の第１実施形態では、室内機２ａは室内Ｒの側部に設けられた室内機収納空間ＳＰ１に収納されているが、図１３に示す室内空調照明システムＳ３のように室内機２ｃが天井内に収納されてもよい。この室内空調照明システムＳ３は、天井面ＣＬから上方の天井内側へと窪んだ室内機収納部７０が設けられており、天井埋め込み型の室内機２ｃが室内機収納部７０に収納されている。また、輻射パネル４ｃは、図中破線で示すように下方へ凸に膨らむ輻射面７１を有している。室内機収納部７０は、下方が輻射面７１によって閉じられており、室内機収納部７０の側面には吸気ダクト孔７２が設けられている。室内機収納部７０の下方を閉じる輻射面７１は、天井面ＣＬと略同じ高さに位置しており、室内Ｒに面している。輻射面７１は、上記実施形態の袋部４０ａと同様の材料で形成されており、袋部４０ａの下面４４と同様の形状である。そして、輻射面７１と室内機収納部７０とによって圧力発生空間ＰＳが形成されている。吸気ダクト孔７２は、室内機２ｃの側面に設けられた室内機吸込み口（図示せず）に接続されていると共に、ダクト７３によって吸込み口７４と連通している。吸込み口７４は、輻射面７１から側方に距離を隔てて天井面ＣＬに設けられている。なお、吸込み口７４は、室内Ｒの壁際にあることが望ましい。吸込み口７４から吸込まれた室内Ｒの空気は、ダクト７３および吸気ダクト孔７２を通って室内機２ｃへと取り込まれる。なお、第１実施形態における断熱材４２は、室内機収納部７０に設けられる。
【００４３】
室内機２ｃは、図１３のように、横方向にコンパクトな形状を有し、側方への圧力発生空間ＰＳへと温度調整された空気を吹き出すものでもよく、図１４に示すような室内機２ｄであってもよい。この室内機２ｄは、横方向に平坦な薄型の形状を有し、下方へと温度調整された空気を吹き出す。
このような室内空調照明システムＳ３によっても第１実施形態にかかる室内空調照明システムＳ１と同様の効果を奏することができる。
【００４４】
また、輻射面７１を第１層と第２層との２重構造としてもよい。第１層は輻射および空気の吹出しによる温度調整を行うための層であり、第１実施形態にかかる袋部４０ａと同様の材料や流量制御された多孔質パネルなどで形成される。第２層は、第１層の下方への膨らみの程度を制御するための層であり、第１層の室内側の表面に設けられる。第２層は、伸縮性の少ない目の粗い材料によって下方へ若干膨らんだ形状に形成される。この場合、穏やかな空気の吹出しの効果は第１層によって奏することができるため、第２層は必ずしも穏やかな吹出しの効果を奏するものである必要はなく、少しでも輻射率が高いものであればよい。
【００４５】
このような輻射面７１によれば、下方への膨らみを間接照明の効果を有する所望の程度に制御ことができ、必要以上に膨らみが大きくなることによる居住者等への圧迫感を低減することができる。
また、天井面ＣＬに設けられた吸込み口７４が、室内Ｒの壁面に設けられてもよい。特に、壁面の下部に吸込み口７４が設けられることによって、天井面近傍からの空気の吹出しと室内Ｒの床面近傍からの空気の吸い込みとを行うことができ、良好な空気の循環が得られる。
【００４６】
（４）
袋部４０ａを形成する材料は必ずしも１種類である必要はなく、複数の異なる伸縮性を有する材料で袋部４０ａを形成してもよい。例えば、袋部４０ａの下面４４の中央部分は比較的伸縮性の低い材料で形成し、袋部４０ａの下面４４の周辺部分は比較的伸縮性の高い材料で形成することが考えられる。この場合、圧力発生空間ＰＳに空気が送られると、静圧によって袋部４０ａが膨らむ程度が部分によって異なる。従って、複数の異なる伸縮性を有する材料で袋部４０ａを形成することによって、膨らんだ状態の袋部４０ａを所望の形状にすることができる。
【００４７】
（５）
上記の第１実施形態にかかる室内空調照明システムＳ１は、合計４つの照明装置ＬＴ１−ＬＴ４が備えられているが、照明装置ＬＴ１−ＬＴ４の数は上記に限られるものではない。また、照明装置ＬＴ１−ＬＴ４は、輻射パネル４ａの長辺の側方にそれぞれ配置されているが、長辺の側方以外の場所に配置されてもよい。
【００４８】
また、上記の第１実施形態にかかる室内空調照明システムＳ１では、照明装置ＬＴ１−ＬＴ４が輻射パネル４ａを挟んで対称に配置されているが、必ずしもこのような配置である必要はなく、異なる配置となってもよい。
（６）
輻射パネル４ａの大きさは、寝具Ｂと略同じ大きさや、寝具Ｂより若干小さい大きさや、寝具Ｂよりも大きく天井面ＣＬの広範囲を覆う大きさなどであってもよい。
【００４９】
（７）
外部フレーム５ａなどに輻射温度センサーを設け、室内機に吸込み温度センサーを設けて、制御部（図示せず）による室内の温度制御を行ってもよい。輻射温度センサーは、対象となる人や寝具Ｂの輻射温度を測定する。吸込み温度センサーは、室内機に吸込まれる空気の温度を測定することによって、室内Ｒの温度を測定する。制御部は、輻射温度と吸込み温度とに基づいて、吹出される空気の温度や風量などを制御する。これにより、より適切な室内Ｒの温度制御が可能である。
【００５０】
また、上記の輻射温度センサーの向きを変更可能な構造としてもよい。これにより、輻射パネル４ａのうち輻射温度の測定が必要な部分の輻射温度の測定が可能となり、より適切な室内Ｒの温度制御が可能である。
さらに、輻射温度センサーが人検知センサーを兼ねてもよい。輻射温度センサーによって室内Ｒへの人の出入りを検知することによって、人の出入りにあわせて空気調和機１００のオン・オフを自動的に行う制御を行うことができる。
【００５１】
（８）
上記の第１実施形態にかかる室内空調照明システムＳ１では、袋部４０ａに断熱材４２が固定されているが、内部フレーム４１ａに断熱材４２が固定されてもよい。または、外部フレーム５ａに断熱材４２が固定されもよい。このような構成によっても、上記と同様に天井面ＣＬでの結露の発生を抑えることができる。
【００５２】
（９）
上記の第１実施形態にかかる室内空調照明システムＳ１では、室内Ｒの空気を室内機ケーシング２３に取り込んで輻射パネル構造体１ａへと送っているが、室外から取り込んだ空気を輻射パネル構造体１ａへと送ってもよい。また、室内機２ａと室外機３とが一体となった送風装置が用いられてもよい。
【００５３】
（１０）
上記の第１実施形態にかかる室内空調照明システムＳ１では、輻射パネル４ａは平面視において長方形の形状を有しているが、他の形状を有するものでもよい。例えば、正方形や６角形のなどの他の多角形や円形のものであってもよい。この場合も、輻射パネルの側方に照明装置が配置されることによって、間接照明の効果を得ることができる。
【００５４】
（１１）
上記の実施形態では、輻射パネル４ａと室内機２ａとは、ダクト９を介して接続されているが、輻射パネル４ａが室内機２ａに固定されており、輻射パネル４ａと室内機２ａとが一体とされていてもよい。
【産業上の利用可能性】
【００５５】
本発明は、室内の温度調整と照明とを適切に行うことができる効果を有し、室内空調照明システムとして有用である。
【図面の簡単な説明】
【００５６】
【図１】第１実施形態にかかる室内空調照明システムの側面図。
【図２】図１におけるII−II断面図。
【図３】（ａ）輻射パネルの平面図。  （ｂ）輻射パネルの側面図。
【図４】輻射パネルの側面断面図。
【図５】（ａ）内部フレームの平面図。（ｂ）内部フレームの側面図。
【図６】図５（ｂ）におけるVI−VI断面図。
【図７】図２におけるVII−VII断面図。
【図８】室内機と室外機との冷媒回路図。
【図９】空気調和機による温度調整を示す模式図。
【図１０】照明装置と輻射パネルとによる間接照明の効果を説明する図。
【図１１】第２実施形態にかかる室内空調照明システムを示す図。
【図１２】他の実施形態にかかる室内機を示す側面図。
【図１３】他の実施形態にかかる室内空調照明システムを示す図。
【図１４】他の実施形態にかかる室内空調照明システムの室内機の他の例を示す図。
【符号の説明】
【００５７】
４ａ，４ｂ，４ｃ  輻射パネル
４４，４９        輻射パネルの下面
７１              輻射面（輻射パネルの下面）
ＣＬ              天井面
ＬＴ１−ＬＴ４    照明装置
ＰＳ              圧力発生空間（内部空間）
Ｒ                室内
Ｓ１−Ｓ３        室内空調照明システム
【図１】
2005140389.tif 000003
【図２】
2005140389.tif 000004
【図３】
2005140389.tif 000005
【図４】
2005140389.tif 000006
【図５】
2005140389.tif 000007
【図６】
2005140389.tif 000008
【図７】
2005140389.tif 000009
【図８】
2005140389.tif 000010
【図９】
2005140389.tif 000011
【図１０】
2005140389.tif 000012
【図１１】
2005140389.tif 000013
【図１２】
2005140389.tif 000014
【図１３】
2005140389.tif 000015
【図１４】
2005140389.tif 000016